(57)【要約】【課題】人体洗浄装置を安全に取り扱い、さらに、被洗浄者の使用感を向上させる。【解決手段】洗浄水を加熱する熱交換器と、洗浄水を吐水するハンドノズルと、前記熱交換器からの洗浄水を導くホースと、洗浄水を排水する排水路と、を備え、前記ホースが前記排水路に接続された第１の状態と、前記ホースが前記ハンドノズルに接続された第２の状態と、が可能とされたことを特徴とする人体洗浄装置が提供される。このような人体洗浄装置は、安全に取り扱うことができる。さらに、この人体洗浄装置を用いれば、被洗浄者の使用感が向上する。【選択図】図２
2010255366.tif 000002
【特許請求の範囲】
【請求項１】
洗浄水を加熱する熱交換器と、
洗浄水を吐水するハンドノズルと、
前記熱交換器からの洗浄水を導くホースと、
洗浄水を排水する排水路と、
を備え、
前記ホースが前記排水路に接続された第１の状態と、
前記ホースが前記ハンドノズルに接続された第２の状態と、
が可能とされたことを特徴とする人体洗浄装置。
【請求項２】
前記ホースの先端に、第１の接続部材が設けられ、
前記排水路の一端に、第２の接続部材が設けられ、
前記ハンドノズルに、第３の接続部材が設けられ、
前記第１の状態において、前記第１の接続部材と前記第２の接続部材とが接続され、
前記第２の状態において、前記第１の接続部材と前記第３の接続部材とが接続されることを特徴とする請求項１に記載の人体洗浄装置。
【請求項３】
前記第１の状態において、前記熱交換器に洗浄水を給水する給水弁が開放され、前記ホース内に残留する洗浄水が前記排水路を介して排水されることを特徴とする請求項１または２に記載の人体洗浄装置。
【請求項４】
前記第２の接続部材は、前記熱交換器を包容するケーシングに付設され、
前記排水路は、前記ケーシング内に設けられていることを特徴とする請求項２に記載の人体洗浄装置。
【請求項５】
洗浄水は、前記排水路を介して便器に排水されることを特徴とする請求項１〜４のいずれか１つに記載の人体洗浄装置。
【請求項６】
前記熱交換器から前記ホースまでの経路の途中に、安全弁が設けられ、
前記安全弁から排出された洗浄水は、前記排水路を介して排水されることを特徴とする請求項１〜５のいずれか１つに記載の人体洗浄装置。
【請求項７】
便座への人体の着座を検知する着座センサと、
前記着座センサから出力される検知信号が入力される制御部と、
をさらに備え、
前記制御部は、前記着座センサが人体の着座を検知すると、前記ホースに残留する洗浄水を前記排水路を介して排水することを特徴とする請求項１〜６のいずれか１つに記載の人体洗浄装置。
【請求項８】
トイレ室への人体の入室を検知する入室検知センサと、
前記入室検知センサから出力される検知信号が入力される制御部と、
をさらに備え、
前記制御部は、前記入室検知センサが人体の入室を検知すると、前記ホースに残留する洗浄水を前記排水路を介して排水することを特徴とする請求項１〜６のいずれか１つに記載の人体洗浄装置。
【請求項９】
使用者が操作可能な操作部をさらに備え、
前記操作部が操作されると、前記ホースに残留する洗浄水を前記排水路を介して排水することを特徴とする請求項１〜６のいずれか１つに記載の人体洗浄装置。
【請求項１０】
前記第１の状態に遷移すると、前記ホースに残留する洗浄水を前記排水路を介して排水することを特徴とする請求項１〜６のいずれか１つに記載の人体洗浄装置。
【請求項１１】
前記給水弁が開放されてから所定時間経過後に前記給水弁が閉止されることを特徴とする請求項３に記載の人体洗浄装置。
【請求項１２】
前記ホースの先端近傍及び前記排水路の少なくともいずれかに、洗浄水の温度を検知する水温検知センサが設けられ、
前記給水弁が開放されてから、前記水温検知センサの検知温度が設定温度以上となった場合には、前記給水弁が閉止されることを特徴とする請求項３に記載の人体洗浄装置。
【請求項１３】
前記ホースと前記排水路とが非接続となると、前記給水弁が閉止されることを特徴とする請求項３に記載の人体洗浄装置。
【請求項１４】
前記洗浄水の温度に関する情報を表示する表示部をさらに備えたことを特徴とする請求項１〜１３のいずれか１つに記載の人体洗浄装置。
【請求項１５】
前記熱交換器から前記ホースまでの経路の途中に設けられた分岐路と、
便器内に突出可能とされた吐水ノズルと、
をさらに備え、
前記分岐路を介して前記吐水ノズルに洗浄水を供給し吐水ノズルから洗浄水を吐水可能とされたことを特徴とする請求項１〜１４のいずれか１つに記載の人体洗浄装置。
【発明の詳細な説明】
【技術分野】
【０００１】
本発明は、人体洗浄装置に関し、人体を洗浄する人体洗浄装置に関する。
【背景技術】
【０００２】
洋式腰掛便器に腰掛けた被洗浄者（例えば、被介護者）の「おしり」などを洗浄水で洗浄する場合には、温水洗浄便座装置の吐水ノズルを便器内に進出し、便座に座った被洗浄者の「おしり」などに向けて洗浄水を噴射する。そうすると、被洗浄者の局部を洗浄することができる。
【０００３】
しかしながら、排泄の際に、汚物が広い範囲に亘って付着すると、人体局部の洗浄を主な目的とした温水洗浄便座装置の吐水ノズルでは、十分に汚れを落とすことができない場合がある。これは、例えば、臀部（肛門周辺）の筋肉が弱く、その部分の肉が垂れ下がっている高齢者などが排泄を行った場合、あるいは被洗浄者が、失禁などのように、おむつを含む衣類を着衣した状態で排泄行為を行った場合などが挙げられる。あるいは、被洗浄者の着座位置がずれている場合にも、温水洗浄便座装置の吐水ノズルでは、十分に汚れを落とすことができない場合がある。
【０００４】
そこで、臀部や陰部の広い範囲を洗浄するために、例えば使用者などが容器を押すことにより洗浄水を任意の位置に吐水できるボトル式の洗浄容器がある。また、臀部や陰部の広い範囲を洗浄可能な局部洗浄装置が提案されている（例えば、特許文献１参照）。
【０００５】
しかしながら、便座に着座した状態で被洗浄者の臀部や陰部を洗える、手持ち式の洗浄ノズルは、一定長さ以上のホース（配管）を有するため、使い始めの際にはホース内などに残留する冷水や不衛生な洗浄水が放出されることがある。この冷水等が被洗浄者にあたると、使用感を損ねてしまうという問題がある。
【０００６】
これに対し、ホースの周囲にヒータを巻き付けて、ホース内の洗浄水を加熱する先行例がある（例えば、特許文献２参照）。しかし、この技術では、ホースの周囲に加熱用ヒータを巻き付ける都合上、ホースのサイズダウン、コストダウンが図れない。また、加熱用ヒータに通電する電流を制御する制御回路が別途必要になる。また、ホースは、頻繁に伸縮されたり、曲げられたりするので、ホースの周囲に加熱用ヒータを巻き付ける構造では安全上の問題もある。
【０００７】
また、洗浄装置の配管内にＳＭＡ（形状記憶合金）製のバネを用いたローカット弁を設けて、洗浄水が一定温度以上になるまでの間は、排水側の経路を開いて、その排水をする先行例がある（例えば、特許文献３参照）。また、便器に取り付けられた手持ちノズルを、便器から脱着可能とした先行例が開示されている（例えば、特許文献４）。しかし、これらの技術では、ホース内に残留する洗浄水は、一度冷えてしまうと冷水のままとなってしまう。従って、被洗浄者の使用感を向上させることが難しい。
【先行技術文献】
【特許文献】
【０００８】
【特許文献１】国際公開第２００２／０５５７９５号
【特許文献２】特開２００３−１６４３８９号公報
【特許文献３】特開２００３−１０２６４２号公報
【特許文献４】特開昭５８−１４３０３１号公報
【発明の概要】
【発明が解決しようとする課題】
【０００９】
本発明の課題は、上述した問題点を解決することである。
【課題を解決するための手段】
【００１０】
本発明の一態様によれば、洗浄水を加熱する熱交換器と、洗浄水を吐水するハンドノズルと、前記熱交換器からの洗浄水を導くホースと、洗浄水を排水する排水路と、を備え、前記ホースが前記排水路に接続された第１の状態と、前記ホースが前記ハンドノズルに接続された第２の状態と、が可能とされたことを特徴とする人体洗浄装置が提供される。
【発明の効果】
【００１１】
本発明によれば、人体洗浄装置を安全に取り扱うことができ、さらに、被洗浄者の使用感が向上する。
【図面の簡単な説明】
【００１２】
【図１】人体洗浄装置の要部概念図である。
【図２】人体洗浄装置を備えたトイレ装置の要部斜視模式図である。
【図３】人体洗浄装置の構成を説明するためのブロック図である。
【図４】ハンドノズルの要部斜視模式図である。
【図５】人体洗浄装置の操作方法を説明するための要部図である。
【図６】人体洗浄装置の操作方法を説明するためのフローチャート図である。
【図７】水温検知センサによる水温の制御を説明するための図である。
【発明を実施するための形態】
【００１３】
以下、図面を参照しつつ、本発明の実施の形態について説明する。
【実施例１】
【００１４】
第１の発明として、洗浄水を加熱する熱交換器と、洗浄水を吐水するハンドノズルと、前記熱交換器からの洗浄水を導くホースと、洗浄水を排水する排水路と、を備え、前記ホースが前記排水路に接続された第１の状態と、前記ホースが前記ハンドノズルに接続された第２の状態と、が可能とされたことを特徴とする人体洗浄装置が提供される。  
これにより、ホース内の冷水を衛生的な温水に置換することができる。また、ホース内に置換された温水をハンドノズルから吐水することができる。その結果、被洗浄者の臀部等に冷水が掛かってしまうことが抑制される。
【００１５】
第２の発明として、第１の発明において、前記ホースの先端に、第１の接続部材が設けられ、前記排水路の一端に、第２の接続部材が設けられ、前記ハンドノズルに、第３の接続部材が設けられ、前記第１の状態において、前記第１の接続部材と前記第２の接続部材とが接続され、前記第２の状態において、前記第１の接続部材と前記第３の接続部材とが接続されることを特徴とする人体洗浄装置が提供される。  
これにより、ホース内の冷水を温水に置換することができる。また、ハンドノズルの非使用時には、ハンドノズルをホースから取り外す必要が生じる。本発明では、接続部材の脱着により、ハンドノズルを簡便にホースから取り外せるため、ハンドノズルの消毒忘れが防止される。
【００１６】
第３の発明として、第１または第２の発明において、前記第１の状態において、前記熱交換器に洗浄水を給水する給水弁が開放され、前記ホース内に残留する洗浄水が前記排水路を介して排水されることを特徴とする人体洗浄装置が提供される。  
これにより、ホース内の冷水を衛生的な温水に置換することができる。また、ホース内に置換された温水をハンドノズルから吐水することができる。その結果、被洗浄者の臀部等に冷水が掛かってしまうことが抑制される。
【００１７】
第４の発明として、第２の発明において、前記第２の接続部材は、前記熱交換器を包容するケーシングに付設され、前記排水路は、前記ケーシング内に設けられていることを特徴とする人体洗浄装置が提供される。  
これにより、使用者は、ホースに接続する接続部材を即座に認識できる。また、排水路が外部に露出されていないことから、人体洗浄装置の美感が向上する。
【００１８】
第５の発明として、第１〜４のいずれか１つの発明において、洗浄水は、前記排水路を介して便器内に排水されることを特徴とする人体洗浄装置が提供される。  
これにより、排水部（タンク、排水トレイ等）を別途設けることがなく、排水路から排出される洗浄水をそのまま便器内に排出できる。
【００１９】
第６の発明として、第１〜５のいずれか１つの発明において、前記熱交換器から前記ホースまでの経路の途中に、安全弁が設けられ、前記安全弁から排出された洗浄水は、前記排水路を介して排水されることを特徴とする人体洗浄装置が提供される。  
これにより、熱交換器から安全弁までの洗浄水を安全弁を介して排水路に通水することができる。その結果、ホース内に高圧の洗浄水が残留した状態での接続部材の脱着行為が防止される。すなわち、安全弁を熱交換器からホースまでの経路の途中に設けることにより、ホースから洗浄水が飛散するような現象を防止できる。また、このような高圧の洗浄水を便器内に排水することに関し、既存の排水路と安全弁とを接続すれば足りる。従って、高圧の洗浄水を便器内に排水することに関し、別途バイパス経路の設置を要しない。
【００２０】
第７の発明として、第１〜６のいずれか１つの発明において、便座への人体の着座を検知する着座センサと、前記着座センサから出力される検知信号が入力される制御部と、をさらに備え、前記制御部は、前記着座センサが人体の着座を検知すると、前記ホースに残留する洗浄水を前記排水路を介して排水することを特徴とする人体洗浄装置が提供される。  
これにより、洗浄装置の使用前に、人体が着座した時点で自動的にホース内の冷水を温水に置換できる。また、自動的にホース内の冷水が温水に置換されるので、使用者等が特段の準備操作を行う必要がない。その結果、操作ミスによって冷水が臀部に掛かってしまうことがない。また、排便後、すぐに臀部の洗浄を行うこともできる。
【００２１】
第８の発明として、第１〜６のいずれか１つの発明において、トイレ室への人体の入室を検知する入室検知センサと、前記入室検知センサから出力される検知信号が入力される制御部と、をさらに備え、前記制御部は、前記入室検知センサが人体の入室を検知すると、前記ホースに残留する洗浄水を前記排水路を介して排水することを特徴とする人体洗浄装置が提供される。  
これにより、洗浄装置の使用前に、人体が入室した時点で自動的にホース内の冷水を温水に置換できる。また、自動的にホース内の冷水が温水に置換されるので、使用者等が特段の準備操作を行う必要がない。その結果、操作ミスによって冷水が臀部に掛かってしまうことがない。また、排便後、すぐに臀部の洗浄を行うこともできる。
【００２２】
第９の発明として、第１〜６のいずれか１つの発明において、使用者が操作可能な操作部をさらに備え、前記操作部が操作されると、前記ホースに残留する洗浄水を前記排水路を介して排水することを特徴とする人体洗浄装置が提供される。  
これにより、入室や着座から所定の時間が経過し、ホース内の温度が低下した場合においても、使用者の操作により再度ホース内の冷水を温水に置換することができる。
【００２３】
第１０の発明として、第１〜６のいずれか１つの発明において、前記第１の状態に遷移すると、前記ホースに残留する洗浄水を前記排水路を介して排水することを特徴とする人体洗浄装置が提供される。  
これにより、洗浄装置の使用前に、第１の接続部材と第２の接続部材とが接続した時点で、自動的にホース内の冷水を温水に置換できる。また、自動的にホース内の冷水が温水に置換されるので、使用者等が特段の準備操作を行う必要がない。その結果、操作ミスによって冷水が臀部に掛かってしまうことがない。
【００２４】
第１１の発明として、第３の発明において、前記給水弁が開放されてから所定時間経過後に前記給水弁が閉止されることを特徴とする人体洗浄装置が提供される。  
これにより、必要な置換が完了すると、自動的に置換が停止されるため、洗浄水の無駄な排出を防止できる。
【００２５】
第１２の発明として、第３の発明において、前記ホースの先端近傍及び前記排水路の少なくともいずれかに、洗浄水の温度を検知する水温検知センサが設けられ、前記給水弁が開放されてから、前記水温検知センサの検知温度が設定温度以上となった場合には、前記給水弁が閉止されることを特徴とする人体洗浄装置が提供される。
これにより、必要な置換が完了すると、給水弁が自動的に閉止されるため、洗浄水の無駄な排出を防止できる。特に、第２の接続部材の近傍で、ケーシング内部の排水路の中途に水温検知センサを配置した場合、水温検知センサと制御部とを接続する接続配線は、ケーシング内部に配置するだけで足りる。従って、その接続配線は、ケーシングに覆われるので、その断線が生じにくい。また、この場合、ホースに沿って、接続配線を引き回す必要がなくなる。また、水温検知センサが第１の接続部材近傍、ケーシング外の第２の接続部材近傍、第３の接続部材近傍に設けられた場合は、水温検知センサがケーシング外にあるため、故障時のメンテ（部品交換）がし易くなる。特に、水温検知センサが第３の接続部材近傍に設けられた場合は、ハンドノズルに近いところで温度測定が実行されるため、より最適温度の洗浄水がホース内に充填される。
【００２６】
第１３の発明として、第３の発明において、前記ホースと前記排水路とが非接続となると、前記給水弁が閉止されることを特徴とする人体洗浄装置が提供される。  
これにより、第１の接続部材が第２の接続部材から外れた場合でも、ホース内から洗浄水が噴出することがない。
【００２７】
第１４の発明として、第１〜１３のいずれか１つの発明において、前記洗浄水の温度に関する情報を表示する表示部をさらに備えたことを特徴とする人体洗浄装置が提供される。  
これにより、使用者がハンドノズルを用いて洗浄行為に及ぶ前に、ホース内の水温が適温か否かを認識することができる。
【００２８】
第１５の発明として、第１〜１４のいずれか１つの発明において、前記熱交換器から前記ホースまでの経路の途中に設けられた分岐路と、便器内に突出可能とされた吐水ノズルと、をさらに備え、前記分岐路を介して前記吐水ノズルに洗浄水を供給し吐水ノズルから洗浄水を吐水可能とされたことを特徴とする人体洗浄装置が提供される。  
これにより、介護が不要な被洗浄者は、内蔵ノズルによって人体を洗浄することができる。また、介護が必要な被洗浄者に対しては、ハンドノズルによる洗浄を行うことができる。このため、様々な被洗浄者に対し、それぞれ快適に使用できる人体洗浄装置が実現する。
【００２９】
以下、本発明の実施の形態について図面を参照しながら説明する。なお、各図面のうち、同一の構成要素には同一の符号を付して、詳細な説明は適宜省略する。
【００３０】
図１は、人体洗浄装置の要部概念図である。  
人体洗浄装置１００Ａは、ケーシング部１１０と、ホース部１２０と、ハンドノズル１３０と、ケーシング部１１０とホース部１２０とを連結する接続部（コネクタ）部１４０と、ハンドノズル１３０とホース部１２０と連結する接続部１５０と、を有している。図１では、ケーシング部１１０と、ホース部１２０と、ハンドノズル１３０とがそれぞれ分離した状態が示されている。
【００３１】
ケーシング部１１０は、洗浄水の温度を調節する熱交換器、熱交換器によって加熱された洗浄水を各内部配管に分岐し、送水する分岐ユニット、各部位間を接続する内部配管、内部配管の洗浄水の圧力が過剰に上昇した場合に、その圧力を低減させる安全弁、または、これらの制御をする制御部等を備えている（後述）。
【００３２】
また、ホース部１２０は、例えば、樹脂製のパイプが螺旋状に巻かれた形状となっている。このような形態により、ホース部１２０全体を容易に伸縮したり、曲げたりすることができる。さらに、非使用時には螺旋形状のバネ効果で縮んだ形状に保持されるためホースが床に触れにくいという利点もある。一方で、本実施の形態のように、螺旋状のパイプをホース部１２０としたほうが、ストレート型のパイプをホース部とした場合、伸縮に余裕を持たせるために、ホースの全長をストレート型のパイプをホース部とした場合よりも長く形成することがあり、ホース部１２０内に残留する洗浄水が多くなる。
【００３３】
また、ハンドノズル１３０は、所謂、手持ち式の洗浄ノズルである。使用者は、ハンドノズル１３０を把持しながら、ハンドノズル１３０に設けられた操作レバー１３１を操作することにより、ハンドノズル１３０の先端から洗浄水を吐水することができる。これにより、被洗浄者の臀部等を自由自在に洗浄することができる。
【００３４】
また、接続部１４０は、ケーシング部１１０外に延出されたソケット部材１４０ｓと、ホース部１２０の一方の端に設けられたプラグ部材１４０ｐとを有している。これらは、接続部１４０を構成する接続部材である。そして、ソケット部材１４０ｓとプラグ部材１４０ｐとが嵌合すると、ソケット部材１４０ｓに連結する内部配管（図示しない）と、プラグ部材１４０ｐに連結するホース部１２０とが連通する。
【００３５】
また、接続部１５０は、ホース部１２０のもう一方の端に設けられたソケット部材１５０ｓと、ハンドノズル１３０の端に設けられたプラグ部材１５０ｐとを有している。これらは、接続部１５０を構成する接続部材である。そして、ソケット部材１５０ｓとプラグ部材１５０ｐとを嵌合すると、ソケット部材１５０ｓに連結するホース部１２０と、プラグ部材１５０ｐに連結するハンドノズル１３０とが連通する。また、例えば、ソケット部材１４０ｓ、１５０ｓには、所謂、逆止め（チャッキ）弁が内蔵している。
【００３６】
すなわち、ソケット部材１４０ｓとプラグ部材１４０ｐとが嵌合している状態、並びにソケット部材１５０ｓとプラグ部材１５０ｐとが嵌合している状態では、ハンドノズル１３０と、上述した内部配管とが連通する。
【００３７】
また、ソケット部材１４０ｓ、１５０ｓは、それ自体に止水機能を有している。例えば、プラグ部材１４０ｐ、１５０ｐからソケット部材１４０ｓ、１５０ｓを取り外すと、ソケット部材１４０ｓ、１５０ｓからは、洗浄水がしない機能を備えている。
【００３８】
また、人体洗浄装置１００Ａでは、ケーシング部１１０にも、接続部材であるプラグ部材１１０ｐが設けられている。また、プラグ部材１１０ｐと、ホース部１２０のソケット部材１５０ｓとは、互いに嵌合する。  
このような嵌合によって、ホース部１２０とケーシング部１１０内に設けられた排水路１１０ｄとが連通すると、ホース部１２０内に残留する冷水が排水路１１０ｄを通じて排出されて、ホース部１２０内が温かい洗浄水で置換される（後述）。
【００３９】
なお、上述した止水機能は、プラグ部材１４０ｐ、１５０ｐ側に設けてもよく、ソケット部材１４０ｓ、１５０ｓ及びプラグ部材１４０ｐ、１５０ｐに設けてもよい。  
また、ケーシング部１１０にプラグ部材１４０ｐを設け、ホース部１２０の一方の端にソケット部材１４０ｓを設けてもよい。また、ホース部１２０のもう一方の端にプラグ部材１５０ｐ設け、ハンドノズル１３０の端にソケット部材１５０ｓを設けてもよい。
【００４０】
また、ソケット部材１４０ｓとプラグ部材１４０ｐとの脱着、ソケット部材１５０ｓとプラグ部材１５０ｐとの脱着、ソケット部材１５０ｓとプラグ部材１１０ｐとの着脱は、手動による差し込み、引き抜き動作により簡便に行うことができる。
【００４１】
具体的なソケット部材１４０ｓ、１５０ｓ、プラグ部材１１０ｐ、１４０ｐ、１５０ｐとしては、例えば、片路開閉型、または両路開閉型のカプラ（登録商標）等が該当する。  また、本実施の形態において「洗浄水」という場合には、適宜、温められたお湯も含むものとする。
【００４２】
次に、人体洗浄装置１００Ａを備えたトイレ装置について説明する。  
図２は、人体洗浄装置を備えたトイレ装置の要部斜視模式図である。  
トイレ装置１０は、洋式腰掛け型の便器５００と、便器５００の上に設けられた人体洗浄装置１００Ａと、便蓋３００と、便座４００と、を有している。そして、便器５００の上に、人体洗浄装置１００Ａが設けられている。
【００４３】
ここで、便蓋３００及び便座４００は、例えば、人体洗浄装置１００Ａに軸支され、便器５００に対して開閉自在になっている。便器５００内の洗い流し方式は、いわゆる「ロータンク式」でもよく、「水道直圧式」でもよい。
【００４４】
また、トイレ装置１０に組み込まれた人体洗浄装置１００Ａは、ケーシング部１１０内に、洗浄水の温度を調節する熱交換器（温度調節器）１１１を設けている。熱交換器１１１には、洗浄水を貯留させるためのタンク（図示しない）と、貯留した洗浄水を加熱するためのヒータ（図示しない）等とが設けられている。すなわち、熱交換器１１１は、所謂「貯湯式」の熱交換器である。そして、熱交換器１１１により加熱された洗浄水は、ケーシング部１１０内の内部配管を通じて、プラグ部材１４０ｐまで送水することができる。
【００４５】
なお、本実施の形態では、熱交換器１１１の形態を貯湯式に限定しない。例えば、供給された洗浄水を瞬間的に温めて送水する、所謂「瞬間式」の熱交換器をも、本実施の形態に含めるとする。そして、熱交換器１１１によって温められた洗浄水は、プラグ部材１４０ｐ等を介して、ホース部１２０に導水され、さらに、ホース部１２０に取り付けられたハンドノズル１３０にまで導水される。なお、便器５００の側壁には、ハンドノズル１３０を収納する収納部１６０が設けられている。
【００４６】
また、人体洗浄装置１００Ａは、便座４００への被洗浄者の着座を検知する着座センサ１７０を有している。また、着座センサ１７０の代わりに、トイレ室への被洗浄者または使用者の入室を検知する入室検知センサ１８０を設けてもよい。また、着座センサ１７０及び入室検知センサ１８０を同時に設けてもよい。そして、人体洗浄装置１００Ａ内には、上述した温度調節制御、内部配管のバルブ切替制御、センサからの信号検知等を行う制御部１９０が設けられている。
【００４７】
また、着座センサ１７０（または、入室検知センサ１８０）としては、例えば、焦電センサ、測距センサなどの赤外線投光式のセンサ、超音波センサ、またはドップラーセンサなどのマイクロ波センサ、などが該当する。そして、着座センサ１７０が便座４００への被洗浄者の着座を検知すると、制御部１９０にその検知信号が送信される。また、入室検知センサ１８０がトイレ室への被洗浄者または使用者の入室を検知すると、制御部１９０にその検知信号が送信される。これにより、人体洗浄装置１００Ａは、人体検知をすることができる。なお、焦電センサは、被洗浄者の接近を迅速に検知できる点で、入室検知センサ１８０に適している。  
そして、この人体洗浄装置１００Ａでは、ホース部１２０内で冷めたり、あるいは不衛生である洗浄水を、便器５００内に排水可能な機能を備えている。
【００４８】
図３は、人体洗浄装置の構成を説明するためのブロック図である。ここで、図３（ａ）では、トイレ装置１０に組み込まれた人体洗浄装置１００Ａを上部から眺めた図が示され、図３（ｂ）では、ホース部１２０周辺が表示されている。但し、図３（ａ）では、便蓋３００、便座４００は、表示していない。また、本実施の形態では、導入口１０１を上流側とし、ハンドノズル１３０側を下流としている。
【００４９】
人体洗浄装置１００Ａでは、給水源として、例えば、水道水を導入口１０１から継ぎ手１０２を通じて、給水弁１０３に供給している。給水弁１０３は、熱交換器１１１よりも上流側に設けられている。また、給水弁１０３は、制御部１９０からの制御信号に応じて開閉される。そして、給水弁１０３が開放されている場合には、熱交換器１１１内のタンクに洗浄水が給水され、給水弁１０３が閉止されている場合には、熱交換器１１１内のタンクへの洗浄水の給水は停止される。すなわち、給水弁１０３を開状態とすると、熱交換器１１１に貯留している温水が熱交換器１１１に給水される洗浄水により加圧されて、その温水を熱交換器１１１よりも下流側に送水することができる。
【００５０】
また、人体洗浄装置１００Ａには、熱交換器１１１の下流に、分岐ユニット１０４が設けられている。そして、この分岐ユニット１０４によって、洗浄水がハンドノズル１３０側の内部配管１０４ａに分岐されたり、または、洗浄ノズル（内蔵式洗浄ノズル）１０５側の内部配管１０４ｂに分岐される。なお、分岐ユニット１０４から分岐される内部配管は、内部配管１０４ａ、１０４ｂに限るものではない。必要に応じて、分岐ユニット１０４の数を増設してもよい。
【００５１】
なお、分岐ユニット１０４による内部配管１０４ａ、１０４ｂ等の選択は、例えば、人体洗浄装置１００Ａの側面に設けられた切替スイッチ１０６により行うことができる。また、このような切替操作は、リモコンスイッチで行ってもよい。
【００５２】
また、人体洗浄装置１００Ａには、内部配管１０４ａとソケット部材１４０ｓとの間に、安全弁１０７が設けられている。さらに、内部配管１０４ａと安全弁１０７との間に、逆止弁１０８が設けられている。そして、逆止弁１０８と安全弁１０７とを内部配管１０８ａで接続し、安全弁１０７とソケット部材１４０ｓとを内部配管１０７ａで接続している。
【００５３】
また、人体洗浄装置１００Ａには、安全弁１０７及びプラグ部材１１０ｐに接続する排水路（排水用内部配管）１１０ｄが設けられている。そして、この排水路１１０ｄの末端部１１０ｄｅは、便器５００内にまで導かれている。
【００５４】
なお、ソケット部材１４０ｓの上流側に、安全弁１０７を設け、排水路１１０ｄの一部を、安全弁１０７に接続した理由は、以下による。  
例えば、ホース部１２０のプラグ部材１４０ｐとソケット部材１４０ｓとを連結した場合に、ホース部１２０までの経路の途中に、過剰な水圧が印加された場合には、この過剰な水圧を安全弁１０７から排水路１１０ｄという経由で逃がすことができる。また、排水路１１０ｄから安全弁１０７に洗浄水が逆流しないように、安全弁１０７内に逆止弁を組み込んでもよい。
【００５５】
そして、これらの熱交換器１１１、分岐ユニット１０４、安全弁１０７等は、制御部１９０により制御されている。また、制御部１９０は、切替スイッチ１０６、着座センサ１７０（または、入室検知センサ１８０）からの信号を検知することができる。そのほか、制御部１９０は、各内部配管、排水路１１０ｄの水温、ホース部１２０内の水温を検知することができる。また、制御部１９０は、前述した水温が適温であるか否かの通知（表示）、水温の通知等を行うこともできる。
【００５６】
例えば、図３（ｂ）に示すように、ケーシング部１１０のソケット部材１４０ｓ近傍には、温度表示部１０９ａ、水温検知センサ１０９ｄが設けられている。これにより、人体洗浄装置１００Ａは、その付近の水温が適温であるか否かの判断をすることができる。また、その付近の水温が適温であるか否かの通知をすることができる。なお、水温検知センサ１０９ｄは、例えば、ソケット部材１４０ｓの上流側の内部経路１０７ａ内、ソケット部材１４０ｓ内に設けることができる。
【００５７】
また、ホース部１２０のソケット部材１５０ｓ近傍には、同様な温度表示部１０９ｂ、水温検知センサ１０９ｅが設けられ、その付近の水温が適温であるか否かの判断、通知をすることができる。なお、水温検知センサ１０９ｄは、例えば、ソケット部材１５０ｓ内、ホース１２０部内の中途に設けることができる。
【００５８】
また、ケーシング部１１０のプラグ部材１１０ｐの排水路１１０ｄの中途には、同様な温度表示部１０９ｃ、水温検知センサ１０９ｆが設けられ、その付近の水温が適温であるか否かの判断、通知をすることができる。
【００５９】
また、ソケット部材１４０ｓとプラグ部材１４０ｐ、ソケット部材１５０ｓとプラグ部材１５０ｐ、及びソケット部材１５０ｓとプラグ部材１１０ｐとが嵌合しているか否かは、例えば、ソケット部材１４０ｓ、１５０ｓ、プラグ部材１１０ｐ、１４０ｐ、１５０ｐのいずれかの部分に設けられた接続センサ（図示しない）により検知することができる。接続センサとしては、例えば、近接スイッチセンサ、フォトカプラセンサ等が該当する。
【００６０】
なお、上述では、水道の圧力を利用して熱交換器１１１に洗浄水を給水する場合を説明したが、給水ポンプによって熱交換器１１１に洗浄水を給水してもよい。これによれば、水道の圧力だけではなく、給水ポンプによって与えられた圧力を利用して、熱交換器１１１に洗浄水を給水することができる。  
また、本実施の形態では、安全弁１０７の下流側の出口から、ホース部１２０を経由して、ハンドノズル１３０の吐水口１３５までの一連の経路を主流路と称する。
【００６１】
次に、人体洗浄装置１００Ａのホース部１２０に連結されるハンドノズル１３０について説明する。  
図４は、ハンドノズルの要部斜視模式図である。図４では、ハンドノズル１３０のほか、ハンドノズル１３０に連結したホース部が示されている。
【００６２】
ハンドノズル１３０は、把持部１３２と、把持部１３２に太幅部１３３を介して接続されたノズル先端部１３４を有している。また、ノズル先端部１３４の先端には、洗浄水が吐水される吐水口１３５が設けられている。また、ハンドノズル１３０の内部には、吐水口１３５にまで連通する内部経路が設けられ、内部経路内には開閉弁（図示しない）が設けられている。また、ハンドノズル１３０とホース部１２０とが連結した状態では、上述した内部経路は、プラグ部材１５０ｐ及びソケット部材１５０ｓを介して、ホース部１２０にまで連通している。
【００６３】
そして、使用者がハンドノズル１３０を把持しつつ、操作レバー１３１を押すと、内部経路に設けられた開閉弁が開状態となる。これにより、洗浄水が吐水口１３５から吐水され、被洗浄者の人体を洗浄することができる。
【００６４】
なお、使用者が吐水口１３５から洗浄水を吐水する前には、予め、ホース部１２０内の洗浄水が温水に置換されている（後述）。これにより、吐水口１３５からは、温かい、衛生的な洗浄水が常時吐水される。  
また、ハンドノズル１３０の内部経路内に設けられた開閉弁は、上述したように、操作レバー１３１の手動動作によって操作されてもよく、制御部１９０による自動的な動作によって操作されてもよい。
【００６５】
次に、人体洗浄装置の操作方法について説明する。  
図５は、人体洗浄装置の操作方法を説明するための要部図である。  
まず、ハンドノズル１３０とホース部１２０とが接続した状態から、ホース部１２０のソケット部材１５０ｓと、ハンドノズル１３０のプラグ部材１５０ｐとを離脱する。その後、図５（ａ）に示すように、ホース部１２０のソケット部材１５０ｓをケーシング部１１０に設けられたプラグ部材１１０ｐに差し込む。この段階では、ソケット部材１４０ｓとプラグ部材１４０ｐとは嵌合したままである。この場合、人体洗浄装置１００Ａは、上述した接続センサによって、ソケット部材１４０ｓとプラグ部材１４０ｐとが嵌合し、ソケット部材１５０ｓとプラグ部材１１０ｐとが嵌合していることを認識する。
【００６６】
そして、人体洗浄装置１００Ａが被洗浄者の便器５００への着座、被洗浄者等のトイレ室への入室、使用者等により切替スイッチ１０６などの操作部の操作、または、ホース部１２０のソケット部材１５０ｓとケーシング部１１０に設けられたプラグ部材１１０ｐとが嵌合したことのいずれかを認識すると、給水弁１０３は、（１）ソケット部材１５０ｓとプラグ部材１１０ｐとが嵌合したことを認識して、即座に開状態になるか、あるいは（２）ソケット部材１５０ｓとプラグ部材１１０ｐとが嵌合した状態から、待機状態となり、人体の着座、人体の入室、人体によるスイッチ操作が行われたことを認識した後に、開状態になるかが制御される。そして、給水弁１０３が制御部１９０からの制御信号に応じて開状態になると、熱交換器１１１内に洗浄水が給水されて、熱交換器１１１に貯留している温かい洗浄水が加圧される。そして、その洗浄水が分岐ユニット１０４により、内部配管１０４ａ側に分岐される。
【００６７】
さらに、その洗浄水は、逆止弁１０８、内部配管１０８ａにまで送水される。そして、その洗浄水は、安全弁１０７を介して、内部配管１０７ａに送水される。その後は、ソケット部材１４０ｓ、プラグ部材１４０ｐ、ホース部１２０、ソケット部材１５０ｓ、プラグ部材１１０ｐを経由して排水路１１０ｄにまで導水される。これにより、ホース部１２０内に新鮮な温水が充填される。また、ホース部１２０内に残留している洗浄水が排水路１１０ｄの末端部１１０ｄｅから便器５００内に排水される。すなわち、ホース部１２０内の洗浄水が衛生的な温水によって置換される。
【００６８】
この置換状態がしばらく続き、ホース部１２０内の水温が所定の温度に達すると、その旨が温度表示部１０９ａ、１０９ｂ、１０９ｃの少なくともいずれかに表示される。  
ホース部１２０内の洗浄水の温調は、時間制御、または、上述した水温検知センサ１０９ｄ、１０９ｅ、１０９ｆの少なくともいずれかによるフィードバック制御により実施される。あるいは、使用者の意志による操作ボタンなどの操作部の操作により実施してもよい。
【００６９】
そして、使用者が温度表示部１０９ａ、１０９ｂ、１０９ｃの少なくともいずれかによって、ホース部１２０内の水温が所定の温度に達していることを認識すると、給水弁１０３が閉止されて、待機状態になる。そして、使用開始時には、プラグ部材１１０ｐからソケット部材１５０ｓが引き抜かれて、図５（ｂ）に示すように、ハンドノズル１３０のプラグ部材１５０ｐがソケット部材１５０ｓに差し込まれる。なお、給水弁１０３は、（１）ソケット部材１５０ｓとプラグ部材１５０ｐとが嵌合したことを認識して、即座に開状態になるか、あるいは（２）ソケット部材１５０ｓとプラグ部材１５０ｐとが嵌合した状態から、待機状態となり、人体の着座、人体の入室、人体によるスイッチ操作が行われたことを、再度認識した後に、開状態になる。そして、この後においては、ハンドノズル１３０の操作レバー１３１が操作されて、ハンドノズル１３０の吐水口１３５から、衛生的な温水が吐水される。
【００７０】
このように、人体洗浄装置１００Ａを用いれば、ホース部１２０内に残留する冷水、あるいは不衛生な洗浄水を事前に衛生的な温水で置換することができる。従って、ホース部１２０内に残留する冷水、あるいは不衛生な洗浄水がハンドノズル１３０の吐水口１３５から放出されることがない。従って、被洗浄者の使用感が向上する。  
また、人体洗浄装置１００Ａでは、洗浄水の加熱をケーシング部１１０内に備えた熱交換器１１１により実施している。従って、ホース部１２０の周りに加熱用ヒータを設ける必要がない。従って、ホース部１２０を伸縮したり、曲げたりしても、人体洗浄装置１００Ａを安全に操作することができる。
【００７１】
次に、以上の操作方法を、フローチャート図等を含めてさらに詳細に説明する。  
図６は、人体洗浄装置の操作方法を説明するためのフローチャート図である。なお、以下の動作で、手動以外の動作は、人体洗浄装置１００Ａの制御部１９０が制御指示している。
【００７２】
まず、一定の時間、人体洗浄装置１００Ａを使用しなかったために、ホース部１２０内に残留する洗浄水は冷めているとする。この場合、温度表示部１０９ａ、１０９ｂ、１０９ｃのいずれかは、ホース部１２０内の洗浄水が所定の温度でないことを表示している。そして、使用者が温度表示部１０９ａ、１０９ｂ、１０９ｃのいずれかを見ることにより、使用者は、ホース部１２０内の洗浄水が所定の温度より低いことを認識できる。
【００７３】
続いて、使用者は、ホース部１２０のソケット部材１４０ｓとプラグ部材１４０ｐとが嵌合したまま、ホース部１２０のソケット部材１５０ｓをケーシング部１１０に設けられたプラグ部材１１０ｐに差し込む。この差し込みによって、接続センサがソケット部材１４０ｓとプラグ部材１４０ｐとが嵌合していることと、ソケット部材１５０ｓとプラグ部材１１０ｐとが嵌合していることを検知する。すなわち、人体洗浄装置１００Ａは、プラグ部材１４０ｐとプラグ部材１１０ｐとが嵌合し、ホース部１２０と排水路１１０ｄが連通していることを検知する。この状態を、人体洗浄装置１００Ａの待機（スタンドバイ）状態とする（ステップＳ１０１）。
【００７４】
続いて、人体洗浄装置１００Ａは、人体検知の判断を行う（ステップＳ１０３）。具体的には、  
（１）被洗浄者が人体洗浄装置１００Ａの便座４００に着座する。  
（２）被洗浄者等が人体洗浄装置１００Ａを備える部屋に入室する。  
（３）使用者により切替スイッチ１０６の操作ボタンなどの操作部の操作が行われる。
（４）使用者によりホース部１２０のソケット部材１５０ｓとケーシング部１１０に設けられたプラグ部材１１０ｐとが嵌合する。  
といういずれか１つの事項を検知すると、人体洗浄装置１００Ａは、人体を検知したと判断する。なお、（４）に関しては、上述した給水弁１０３が（１）ソケット部材１５０ｓとプラグ部材１１０ｐとが嵌合したことを認識して、即座に開状態になるか、あるいは（２）ソケット部材１５０ｓとプラグ部材１１０ｐとが嵌合した状態から、待機状態となり、人体の着座、人体の入室、人体によるスイッチ操作が行われたことを認識した後に、開状態になる。また、人体洗浄装置１００Ａが人体検知をしない場合は、人体洗浄装置１００Ａは待機状態を維持する。
【００７５】
続いて、上述した検知に基づき、制御部１９０により給水弁１０３が開放される（ステップＳ１０５）。あるいは、上述した給水ポンプが人体洗浄装置１００Ａに設けられている場合には、給水ポンプを駆動してもよい。
【００７６】
これにより、ホース部１２０内に残留する冷水が熱交換器１１１により加熱された温水により置換され始める。すなわち、ホース部１２０内に残留する冷水は、温水によって排水路１１０ｄを通じて便器５００内に排出され始める。
【００７７】
続いて、ホース部１２０内の水温の調整が行われる（ステップＳ１０７）。この水温の制御は、ホース部１２０内の洗浄水を置換する時間制御で行われるか、水温検知センサ１０９ｄ、１０９ｅ、１０９ｆの少なくともいずれかによるフィードバック制御により行われる。
【００７８】
次に、ホース部１２０内の洗浄水が設定された時間で置換されたり、あるいはホース部１２０内の水温が水温検知センサ１０９ｄ、１０９ｅ、１０９ｆの少なくともいずれかによって設定温度になったと判断すると、給水弁１０３が閉止される（ステップＳ１０９）。そして、ホース部１２０内の水温が設定温度に達したことが温度表示部１０９ａ、１０９ｂ、１０９ｃの少なくともいずれかに表示される。
【００７９】
そして、再び、人体洗浄装置１００Ａは待機状態になる（ステップＳ１１１）。  
この後、使用者は、温度表示部１０９ａ、１０９ｂ、１０９ｃの少なくともいずれかを見て、ホース部１２０内の水温が設定温度に達したことを認識する。そして、ホース部１２０のソケット部材１５０ｓがケーシング部１１０に設けられたプラグ部材１１０ｐから外されて、ソケット部材１５０ｓがハンドノズル１３０のプラグ部材１５０ｐに差し込まれる。そして、使用者がハンドノズル１３０の操作レバー１３１を操作することにより、吐水口１３５から温水を噴射することができる。この場合、一度閉止された給水弁１０３は、操作レバー１３１の操作、あるいは、使用者のスイッチングにより、再び開放されている。これにより、連続的に吐水口１３５から温水を吐水することができ、被洗浄者の身体を洗浄することができる。
【００８０】
なお、以上説明した具体例において、人体センサによる検知（ステップＳ１０３）の代わりに、例えば、使用者が所定のスイッチ（操作部）などを操作することにより、ステップＳ１０５に進むようにしてもよい。つまり、捨て水の動作のトリガとして、センサによる人体の検知の代わりに、使用者のスイッチ入力を採用することもできる。このスイッチは、切替スイッチ１０６に配設してもよく、ハンドノズル１３０に設けてもよい。
【００８１】
次に、上述した水温検知センサによるフィードバック制御を、水温検知センサ１０９ｅを例にとって説明する。
【００８２】
図７は、水温検知センサによる水温の制御を説明するための図である。ここで、横軸は、時間（秒）を表し、縦軸は、ホース部１２０内の水温（℃）を表している。また、この図７では、ホース部１２０内の水温の設定温度（適温）を、一例として、３８℃としている。また、設定温度（３８℃）から許容できる温度の上限を、設定温度＋１（℃）とし、設定温度（３８℃）から許容できる温度の下限を、設定温度−３（℃）としている。
【００８３】
例えば、一定の時間、人体洗浄装置１００Ａを使用しなかったために、ホース部１２０内に残留する洗浄水は冷めているとする。  
この場合、ホース部１２０内の温度が水温検知センサ１０９ｅによって制御部１９０に送信され、温度表示部１０９ｂは、ホース部１２０内の洗浄水が設定温度でないことを表示する（図中のＡ区間）。
【００８４】
次に、制御部１９０がホース部１２０と排水路１１０ｄが連通していることを検知し、さらに、制御部１９０が人体を検知したり、使用者のスイッチ操作を検知すると、給水弁１０３が開放される。あるいは、給水ポンプが駆動する。
【００８５】
これにより、ホース部１２０内の冷水が温水により置換されて、ホース部１２０内の水温が上昇する。但し、冷水が置換され始めた初期の段階では、水温のオーバーシューティングが生じる場合もある。これにより、冷水が置換され始めてからしばらくの間は、洗浄水の水温が設定温度の許容範囲を超過したり、許容範囲内に入ったりする水温の変動が生じる（図中のＢ区間）。この領域では、温度表示部１０９ｂは、ホース部１２０内の洗浄水が設定温度でないことを表示する。なお、水温検知センサ１０９ｅの検知結果が設定温度以上となった場合には、制御部１９０は、給水弁１０３を閉止してもよい。
【００８６】
続いて、上述したフィードバック制御が進行し、ヒータによる加熱量が適宜調整されると、ホース部１２０内の水温が変動しながらも、許容範囲内に入ってくる（図中のＣ区間）。但し、Ｃ区間でも、若干の水温の変動が生じる。従って、Ｃ区間を所定の時間（例えば、５秒間）で区切り、このＣ区間においても、温度表示部１０９ｂがホース部１２０内の洗浄水が設定温度でないことを表示する。
【００８７】
次に、フィードバック制御がさらに進行し、ホース部１２０内の水温が設定温度になると、温度表示部１０９ｂは、ホース部１２０内の洗浄水が所定の温度であることを表示する（図中のＤ区間）。  
この段階で、使用者は、温度表示部１０９ｂを見て、ホース部１２０内の水温が設定温度に達したことを認識できる。そして、使用者は、この時点からソケット部材１５０ｓをプラグ部材１１０ｐから外して、ソケット部材１５０ｓをプラグ部材１５０ｐに差し込んで、上述したような洗浄行為に及んでもよい。
【００８８】
但し、人体洗浄装置１００Ａでは、ホース部１２０内の水温が設定温度になった後、給水弁１０３を閉止する制御手段を組み込んでいる。  
例えば、図７に示すように、ホース部１２０と排水路１１０ｄが連通したまま、給水弁１０３の開放状態が所定の時間経過すると、給水弁１０３は、自動的に閉止される。これにより、ホース部１２０内の洗浄水の置換が終了する。  
このＤ区間の時間は、使用者等の要求に応じて適宜調節される。例えば、捨て水の節約のために、ホース部１２０内の水温が設定温度になった直後に給水弁１０３を閉止してもよい。
【００８９】
そして、給水弁１０３が閉止されて、ホース部１２０内の洗浄水の置換が終了すると、ホース部１２０内の水温が徐々に降下する（図中のＥ区間）。但し、Ｅ区間では、余熱のため、ホース部１２０内の水温が許容範囲内にある。また、その旨が温度表示部１０９ｂにより表示される。  
なお、Ｅ区間では、ホース部１２０内の水温が許容範囲内にあるので、この区間では、制御部１９０が上述した人体検知をしても、ホース部１２０内の洗浄水を置換しない制御を別途設けてもよい。
【００９０】
続いて、ホース部１２０内の水温が降下し、許容範囲下になると、その情報は、水温検知センサ１０９ｅによって制御部１９０に送信される。また、温度表示部１０９ｂは、ホース部１２０内の洗浄水が設定温度でないことを再び表示する（図中のＦ区間）。  
例えば、使用者等が一時的にトイレ室から外出した場合、被洗浄者の洗浄前の予備準備に時間を要する場合には、ホース部１２０内の水温が許容範囲よりも降下する場合もある。しかし、人体洗浄装置１００Ａは、使用者等の人体検知、あるいは、使用者による所定のスイッチ操作を認識すると、再び、ホース部１２０内の冷水を温水に置換する。  
このような制御により、使用者は、吐水口１３５から常時、温水を吐水することができる。  
なお、図７では、水温検知センサ１０９ｅを例にとって説明したが、水温検知センサ１０９ｄ、１０９ｆを用いても同様の制御ができる。
【００９１】
次に、トイレ装置１０に設けられた収納部１６０について補説する（図２参照）。  
使用者は、ホース部１２０とハンドノズル１３０とが接続した状態で、ハンドノズル１３０を収納部１６０に収納することができる。ハンドノズル１３０を収納部１６０に収納した状態で、吐水口１３５から温水が吐水されると、その温水は、収納孔１６３に一時滞留する。このとき、ハンドノズル１３０の先端は、収納孔１６３の底面には当接しておらず、離間している。このため、収納孔１６３に一時滞留した洗浄水は、ノズル先端部１３４を洗浄した後、残留することなく排水路１６５から便器５００内に排出される。これにより、ハンドノズル１３０の衛生的な状態を確保することができる。
【００９２】
なお、人体洗浄装置１００Ａでは、例えば、過剰に熱い洗浄水（例えば、上述した上限温度を超えた温水）については、ホース部１２０内を通水せず、安全弁１０７から排水路１１０ｄを経由して、便器５００内に排水してもよい。このような制御により、ホース部１２０、ソケット部材１４０ｓ、１５０ｓ、プラグ部材１４０ｐが過剰に加熱されず、使用者等の火傷等を事前に防止できる。
【００９３】
また、温度表示部１０９ａ、１０９ｂ、１０９ｃについては、対応する水温検知センサ１０９ｄ、１０９ｅ、１０９ｆ付近に設ける必要はなく、例えば、ケーシング部１１０、ハンドノズル１３０等のいずれかの箇所に設けてもよい。また、洗浄水の温度を検知する水温検知センサに関しては、ハンドノズル１３０内に設け、水温が設定温度を超えた場合は、ハンドノズル１３０の水温検知センサからの信号によって、給水弁１０３を閉止してもよい。
【００９４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ハンドノズル１３０などが備える各要素の形状、寸法、材質、配置などや収納部１６０の設置形態などは、例示したものに限定されるわけではなく適宜変更することができる。  
また、前述した各実施の形態が備える各要素は、技術的に可能な限りにおいて組み合わせたり、複合したりすることができ、これらを組み合わせたものも本発明の特徴を含む限り本発明の範囲に包含される。
【符号の説明】
【００９５】
１０ トイレ装置  
１００Ａ 人体洗浄装置  
１０１ 導入口  
１０２ 継ぎ手  
１０３ 給水弁  
１０４ 分岐ユニット  
１０４ａ、１０４ｂ 内部配管  
１０５ 洗浄ノズル  
１０６ 切替スイッチ  
１０７ 安全弁  
１０７ａ 内部配管  
１０８ 逆止弁  
１０８ａ 内部配管  
１０９ａ、１０９ｂ、１０９ｃ 温度表示部  
１０９ｄ、１０９ｅ、１０９ｆ 水温検知センサ  
１１０ ケーシング部  
１１０ｄ 排水路  
１１０ｄｅ 末端部  
１１０ｐ プラグ部材  
１１１ 熱交換器  
１２０ ホース部  
１３０ ハンドノズル  
１３１ 操作レバー  
１３２ 把持部  
１３３ 太幅部  
１３４ ノズル先端部  
１３５ 吐水口  
１４０ 接続部  
１４０ｐ プラグ部材  
１４０ｓ ソケット部材  
１５０ 接続部  
１５０ｐ プラグ部材  
１５０ｓ ソケット部材  
１６０ 収納部  
１６３ 収納孔  
１６５ 排水路  
１７０ 着座センサ  
１８０ 入室検知センサ  
１９０ 制御部  
３００ 便蓋  
４００ 便座  
５００ 便器  
【図１】
2010255366.tif 000003
【図２】
2010255366.tif 000004
【図３】
2010255366.tif 000005
【図４】
2010255366.tif 000006
【図５】
2010255366.tif 000007
【図６】
2010255366.tif 000008
【図７】
2010255366.tif 000009